(57)【要約】【課題】ダイバーシティ受信した受信信号の品質劣化を低減する「無線放送受信器」を提供する。【解決手段】メインアンテナ１１の受信信号とサブアンテナ１３の受信信号のレベル差が所定のしきい値未満であり、かつ、メインアンテナ１１の受信信号とサブアンテナ１３の受信信号の位相差が所定のしきい値を超える場合には、メインチューナ１２の出力とサブチューナ１４の出力を合成する合成部１５の合成比率を１：１として同相合成方式のダイバーシティを行う。その他の場合には、マルチパスの発生状況などに応じて合成部１５の合成比率を１：０または０：１との間で切り替えることにより選択ダイバーシティを行う。【選択図】図１
2006129068.tif 000002
【特許請求の範囲】
【請求項１】
無線放送をダイバーシティ受信し復調する無線放送受信機であって、
第１のアンテナと、
第２のアンテナと、
前記第１のアンテナで受信した第１の受信信号の位相と前記第２のアンテナで受信した前記第２の受信信号との位相差を検出する位相差検出手段と、
前記第１の受信信号と第２の受信信号の位相を同相化して合成しダイバシティ受信信号とする第１ダイバシティ受信手段と、
前記第１の受信信号と第２の受信信号のうちの、受信状態がより良好な方の受信信号をダイバシティ受信信号として選択する第２ダイバシティ受信手段と、
前記位相差検出手段が検出した位相差が所定のレベルより大きい場合に前記第１ダイバシティ受信手段を有効化し、前記位相差検出手段が検出した位相差が前記所定のレベルより大きくない場合に前記第２ダイバシティ受信手段を有効化するダイバシティ動作制御手段と、
前記ダイバシティ動作制御手段によって前記第１ダイバシティ受信手段が有効化された場合に前記第１ダイバシティ受信手段が出力するダイバシティ受信信号を復調し、前記ダイバシティ動作制御手段によって前記第２ダイバシティ受信手段が有効化された場合に前記第２ダイバシティ受信手段が出力するダイバシティ受信信号を復調する復調部とを有することを特徴とする無線放送受信機。
【請求項２】
無線放送をダイバーシティ受信し復調する無線放送受信機であって、
第１のアンテナと、
第２のアンテナと、
前記第１のアンテナで受信した第１の受信信号の強度レベルと前記第２のアンテナで受信した前記第２の受信信号の強度レベルのレベル差を検出するレベル差検出手段と、
前記第１の受信信号と第２の受信信号の位相を同相化して合成しダイバシティ受信信号とする第１ダイバシティ受信手段と、
前記第１の受信信号と第２の受信信号のうちの、受信状態がより良好な方の受信信号をダイバシティ受信信号として選択する第２ダイバシティ受信手段と、
前記レベル差検出手段が検出したレベル差が所定のレベルより小さい場合に前記第１ダイバシティ受信手段を有効化し、前記レベル差検出手段が検出したレベル差が前記所定のレベルより小さくない場合に前記第２ダイバシティ受信手段を有効化するダイバシティ動作制御手段と、
前記ダイバシティ動作制御手段によって前記第１ダイバシティ受信手段が有効化された場合に前記第１ダイバシティ受信手段が出力するダイバシティ受信信号を復調し、前記ダイバシティ動作制御手段によって前記第２ダイバシティ受信手段が有効化された場合に前記第２ダイバシティ受信手段が出力するダイバシティ受信信号を復調する復調部とを有することを特徴とする無線放送受信機。
【請求項３】
無線放送をダイバーシティ受信し復調する無線放送受信機であって、
第１のアンテナと、
第２のアンテナと、
前記第１のアンテナで受信した第１の受信信号を第１の中間周波数信号に変換する第１チューナ部と、
前記第２のアンテナで受信した第２の受信信号を第２の中間周波数信号に変換する第２チューナ部と、
前記第１の中間周波数信号と第２の中間周波数信号の位相を同相化する同相化手段と、
前記同相化手段によって同相化された第１の中間周波数信号と第２の中間周波数信号を合成する合成手段と、
中間周波数信号を復調する復調手段と、
前記第１の中間周波数信号の位相と前記第２の中間周波数信号の位相差を検出する位相差検出手段と、
前記位相差検出手段が検出した位相差が所定のレベルより大きい場合に、前記復調手段に、前記合成手段が合成した中間周波数信号を復調させ、前記位相差検出手段が検出した位相差が前記所定のレベルより大きくない場合に、前記第１の中間周波数信号と前記第２の中間周波数信号とのうちから、障害発生の程度が小さい方の中間周波数信号を復調させるダイバシティ動作制御部とを有し、
前記ダイバシティ動作制御部は、前記第１の中間周波数信号と前記第２の中間周波数信号とのうちから、障害発生の程度が小さい方の中間周波数信号を復調させる場合に、前記復調手段に前記合成手段が合成した中間周波数信号を復調させる場合よりも、前記第１のチューナ及び第２のチューナと、前記復調手段とのうちの少なくとも一方に、前記第１の受信信号または第２の受信信号に生じた障害により発生する問題の発生を、より強く抑制する動作を行わせることを特徴とする無線放送受信機。
【請求項４】
無線放送をダイバーシティ受信し復調する無線放送受信機であって、
第１のアンテナと、
第２のアンテナと、
前記第１のアンテナで受信した第１の受信信号を第１の中間周波数信号に変換する第１チューナ部と、
前記第２のアンテナで受信した第２の受信信号を第２の中間周波数信号に変換する第２チューナ部と、
前記第１の中間周波数信号と第２の中間周波数信号の位相を同相化する同相化手段と、
前記同相化手段によって同相化された第１の中間周波数信号と第２の中間周波数信号を合成する合成手段と、
中間周波数信号を復調する復調手段と、
前記第１の中間周波数信号の強度レベルと前記第２の中間周波数信号の強度レベルのレベル差を検出するレベル差検出手段と、
前記レベル差検出手段が検出したレベル差が所定のレベルより小さい場合に、前記復調手段に、前記合成手段が合成した中間周波数信号を復調させ、前記レベル差検出手段が検出したレベル差が所定のレベルより小さくない場合に、前記第１の中間周波数信号と前記第２の中間周波数信号とのうちから、障害発生の程度が小さい方の中間周波数信号を復調させるダイバシティ動作制御部とを有し、
前記ダイバシティ動作制御部は、前記第１の中間周波数信号と前記第２の中間周波数信号とのうちから、障害発生の程度が小さい方の中間周波数信号を復調させる場合に、前記復調手段に前記合成手段が合成した中間周波数信号を復調させる場合よりも、前記第１のチューナ及び第２のチューナと、前記復調手段とのうちの少なくとも一方に、前記第１の受信信号または第２の受信信号に生じた障害により発生する問題の発生を、より強く抑制する動作を行わせることを特徴とする無線放送受信機。
【発明の詳細な説明】
【技術分野】
【０００１】
無線放送受信機におけるダイバーシティ受信の技術に関するものである。
【背景技術】
【０００２】
無線放送受信機においてマルチパス障害を低減するため等に行われるダイバーシティ受信の技術としては、複数のアンテナを設け各アンテナで受信した信号のうち受信状態の良い信号を選択して使用する選択ダイバーシティや（たとえば、特許文献１）、複数のアンテナを設け各アンテナで受信した信号を同相合成する同相合成方式のダイバーシティ（たとえば、特許文献２）が知られている。
【特許文献１】特開平07-283767号公報
【特許文献２】特開平05-235812号公報
【発明の開示】
【発明が解決しようとする課題】
【０００３】
さて、一般的に、同相合成方式のダイバーシティと、選択ダイバーシティでは、同相合成方式のダイバーシティの方が、マルチパス障害を良好に抑制することができる。
しかしながら、状況によっては同相合成方式のダイバーシティではマルチパス障害を抑制できない場合がある。
たとえば、いま仮に二つのアンテナが、各々異なるパスを通過した二つの電波信号を同じレベルで受信する場合を考える。そして、第１のパスを通過した第１の電波信号は二つのアンテナに同位相に到着し、第２のパスを通過した第２の電波信号は二つのアンテナに位相角差ｘで到着するものとする。
【０００４】
図４ａは、この位相角差ｘと、同相合成方式のダイバーシティで受信した受信信号に生じる歪み率との関係を示したものである。
図示するように、同相合成方式のダイバーシティによれば、位相角差ｘが大きい場合には、受信した受信信号の歪み率は小さく抑えられるが、位相角差ｘが大きい場合には、有効に機能せず歪み率を小さく抑えることができなくなる。
【０００５】
また、図４ｂに、第１のパスを通過した第１の電波信号が二つのアンテナに同位相に到着し、第２のパスを通過した第２の電波信号が二つのアンテナに位相角差６０度で到着した場合における、同相合成方式のダイバーシティで受信した受信信号に生じる歪み率と、第１のアンテナで受信した受信信号と第２ののアンテナで受信した受信信号とのレベル比との関係を示すように、同相合成方式のダイバーシティによれば、第１のアンテナで受信した受信信号のレベルと第２ののアンテナで受信した受信信号のレベルが同じ程度である場合には受信信号の歪み率は小さく抑えられるが、レベルの差が大きい場合には、有効に機能せず歪み率を小さく抑えることができなくなる。
【０００６】
すなわち、同相合成方式のダイバーシティには、有効にマルチパス障害の低減を行えない領域が存在する。
そこで、本発明は、同相合成方式のダイバーシティで無線放送を受信する無線放送受信機において、同相合成方式のダイバーシティでは有効にマルチパス障害の低減を行えない領域における、受信信号品質の劣化を抑制することを課題とする。
【課題を解決するための手段】
【０００７】
前記課題達成のために、本発明は、無線放送をダイバーシティ受信し復調する無線放送受信機を、第１のアンテナと、第２のアンテナと、前記第１のアンテナで受信した第１の受信信号の位相と前記第２のアンテナで受信した前記第２の受信信号との位相差を検出する位相差検出手段と、前記第１の受信信号と第２の受信信号の位相を同相化して合成しダイバシティ受信信号とする第１ダイバシティ受信手段と、前記第１の受信信号と第２の受信信号のうちの、受信状態がより良好な方の受信信号をダイバシティ受信信号として選択する第２ダイバシティ受信手段と、前記位相差検出手段が検出した位相差が所定のレベルより大きい場合に前記第１ダイバシティ受信手段を有効化し、前記位相差検出手段が検出した位相差が前記所定のレベルより大きくない場合に前記第２ダイバシティ受信手段を有効化するダイバシティ動作制御手段と、前記ダイバシティ動作制御手段によって前記第１ダイバシティ受信手段が有効化された場合に前記第１ダイバシティ受信手段が出力するダイバシティ受信信号を復調し、前記ダイバシティ動作制御手段によって前記第２ダイバシティ受信手段が有効化された場合に前記第２ダイバシティ受信手段が出力するダイバシティ受信信号を復調する復調部とを含めて構成したものである。
【０００８】
このように、本無線放送受信機は、前記第１のアンテナで受信した第１の受信信号の位相と前記第２のアンテナで受信した前記第２の受信信号との位相差が大きい場合に同相合成方式のダイバーシティを行い、前記第１のアンテナで受信した第１の受信信号の位相と前記第２のアンテナで受信した前記第２の受信信号との位相差が小さい場合には選択ダイバーシティを行う。ここで、このような位相差がある程度以上小さい場合には、同相合成方式のダイバーシティは有効に機能せず、選択ダイバーシティを行った方がダイバシティ受信した受信信号の品質の劣化の程度が小さい。したがって、本発明によれば、同相合成方式のダイバーシティで無線放送を受信する無線放送受信機において、二つの受信信号の位相差が小さいために、同相合成方式のダイバーシティでは有効にマルチパス障害の低減を行えない領域における、受信信号品質の劣化を抑制することができるようになる。
【０００９】
また、前記課題達成のために、本発明は、無線放送をダイバーシティ受信し復調する無線放送受信機であって、第１のアンテナと、第２のアンテナと、前記第１のアンテナで受信した第１の受信信号の強度レベルと前記第２のアンテナで受信した前記第２の受信信号の強度レベルのレベル差を検出するレベル差検出手段と、前記第１の受信信号と第２の受信信号の位相を同相化して合成しダイバシティ受信信号とする第１ダイバシティ受信手段と、前記第１の受信信号と第２の受信信号のうちの、受信状態がより良好な方の受信信号をダイバシティ受信信号として選択する第２ダイバシティ受信手段と、前記レベル差検出手段が検出したレベル差が所定のレベルより小さい場合に前記第１ダイバシティ受信手段を有効化し、前記レベル差検出手段が検出したレベル差が前記所定のレベルより小さくない場合に前記第２ダイバシティ受信手段を有効化するダイバシティ動作制御手段と、前記ダイバシティ動作制御手段によって前記第１ダイバシティ受信手段が有効化された場合に前記第１ダイバシティ受信手段が出力するダイバシティ受信信号を復調し、前記ダイバシティ動作制御手段によって前記第２ダイバシティ受信手段が有効化された場合に前記第２ダイバシティ受信手段が出力するダイバシティ受信信号を復調する復調部とを含めて構成したものである。
【００１０】
このように、本無線放送受信機は、前記第１のアンテナで受信した第１の受信信号の位相と前記第２のアンテナで受信した前記第２の受信信号の強度レベルのレベル差が小さい場合に同相合成方式のダイバーシティを行い、前記第１のアンテナで受信した第１の受信信号の位相と前記第２のアンテナで受信した前記第２の受信信号の強度レベルのレベル差が大きい場合には選択ダイバーシティを行う。ここで、このようなレベル差がある程度以上大きい場合には、同相合成方式のダイバーシティは有効に機能せず、選択ダイバーシティを行った方がダイバシティ受信した受信信号の品質の劣化の程度が小さい。したがって、本発明によれば、同相合成方式のダイバーシティで無線放送を受信する無線放送受信機において、二つの受信信号のレベル差が大きいために、同相合成方式のダイバーシティでは有効にマルチパス障害の低減を行えない領域における、受信信号品質の劣化を抑制することができるようになる。
【００１１】
また、前記課題達成のために、本発明は、無線放送をダイバーシティ受信し復調する無線放送受信機を、第１のアンテナと、第２のアンテナと、前記第１のアンテナで受信した第１の受信信号を第１の中間周波数信号に変換する第１チューナ部と、前記第２のアンテナで受信した第２の受信信号を第２の中間周波数信号に変換する第２チューナ部と、前記第１の中間周波数信号と第２の中間周波数信号の位相を同相化する同相化手段と、前記同相化手段によって同相化された第１の中間周波数信号と第２の中間周波数信号を合成する合成手段と、中間周波数信号を復調する復調手段と、前記第１の中間周波数信号の位相と前記第２の中間周波数信号の位相差を検出する位相差検出手段と、前記位相差検出手段が検出した位相差が所定のレベルより大きい場合に、前記復調手段に、前記合成手段が合成した中間周波数信号を復調させ、前記位相差検出手段が検出した位相差が前記所定のレベルより大きくない場合に、前記第１の中間周波数信号と前記第２の中間周波数信号とのうちから、障害発生の程度が小さい方の中間周波数信号を復調させるダイバシティ動作制御部とを含めて構成すると共に、前記ダイバシティ動作制御部において、前記第１の中間周波数信号と前記第２の中間周波数信号とのうちから、障害発生の程度が小さい方の中間周波数信号を復調させる場合に、前記復調手段に前記合成手段が合成した中間周波数信号を復調させる場合よりも、前記第１のチューナ及び第２のチューナと、前記復調手段とのうちの少なくとも一方に、前記第１の受信信号または第２の受信信号に生じた障害により発生する問題の発生を、より強く抑制する動作を行わせるようにしたものである。
【００１２】
このようにすることにより、同相合成方式のダイバーシティで無線放送を受信する無線放送受信機において、二つのアンテナの受信信号の位相差が小さいために、有効にマルチパス障害の低減を行えない領域における、受信信号品質の劣化を、当該領域において選択ダイバーシティを行うことにより抑制することができるようになる。また、同相合成方式のダイバーシティを行う場合において、受信信号に生じた障害により発生する問題抑制のための過剰な動作を行わないようにしつつ、選択ダイバーシティを行う場合において、受信信号に生じた障害により発生する問題抑制のための適当な動作を行うようにすることができるようになる。
【００１３】
また、前記課題達成のために本発明は、無線放送をダイバーシティ受信し復調する無線放送受信機を、第１のアンテナと、第２のアンテナと、前記第１のアンテナで受信した第１の受信信号を第１の中間周波数信号に変換する第１チューナ部と、前記第２のアンテナで受信した第２の受信信号を第２の中間周波数信号に変換する第２チューナ部と、前記第１の中間周波数信号と第２の中間周波数信号の位相を同相化する同相化手段と、前記同相化手段によって同相化された第１の中間周波数信号と第２の中間周波数信号を合成する合成手段と、中間周波数信号を復調する復調手段と、前記第１の中間周波数信号の強度レベルと前記第２の中間周波数信号の強度レベルのレベル差を検出するレベル差検出手段と、前記レベル差検出手段が検出したレベル差が所定のレベルより小さい場合に、前記復調手段に、前記合成手段が合成した中間周波数信号を復調させ、前記レベル差検出手段が検出したレベル差が所定のレベルより小さくない場合に、前記第１の中間周波数信号と前記第２の中間周波数信号とのうちから、障害発生の程度が小さい方の中間周波数信号を復調させるダイバシティ動作制御部とを含めて構成し、前記ダイバシティ動作制御部において、前記第１の中間周波数信号と前記第２の中間周波数信号とのうちから、障害発生の程度が小さい方の中間周波数信号を復調させる場合に、前記復調手段に前記合成手段が合成した中間周波数信号を復調させる場合よりも、前記第１のチューナ及び第２のチューナと、前記復調手段とのうちの少なくとも一方に、前記第１の受信信号または第２の受信信号に生じた障害により発生する問題の発生を、より強く抑制する動作を行わせるようにしたものである。
【００１４】
このようにすることにより、同相合成方式のダイバーシティで無線放送を受信する無線放送受信機において、二つのアンテナの受信信号の強度レベルのレベル差が大きいために、有効にマルチパス障害の低減を行えない領域における、受信信号品質の劣化を、当該領域において選択ダイバーシティを行うことにより抑制することができるようになる。また、同相合成方式のダイバーシティを行う場合において、受信信号に生じた障害により発生する問題抑制のための過剰な動作を行わないようにしつつ、選択ダイバーシティを行う場合において、受信信号に生じた障害により発生する問題抑制のための適当な動作を行うようにすることができるようになる。
【発明の効果】
【００１５】
以上のように、本発明によれば、同相合成方式のダイバーシティで無線放送を受信する無線放送受信機において、同相合成方式のダイバーシティでは有効にマルチパス障害の低減を行えない領域における、受信信号品質の劣化を抑制することができる。
【発明を実施するための最良の形態】
【００１６】
以下、本発明の実施形態について説明する。
図１に本実施形態に係る無線放送受信機の構成をＦＭ放送受信機への適用を例にとり示す。
図示するように、無線放送受信機は、メインアンテナ１１、メインアンテナ１１に接続するメインチューナ１２、サブアンテナ１３、サブアンテナ１３に接続するサブチューナ１４、合成部１５、ＦＭ検波部１６、ＦＭ復調部１７、位相差検出部１８、ダイバシティ動作制御部１９とを備えている。
【００１７】
また、メインチューナ１２とサブチューナ１４は同じ構成を備えており、各々、接続するアンテナから供給された信号の増幅や中間周波数信号への変換を行うフロントエンド部１０１と、フロントエンド部１０１が出力する中間周波数信号の帯域制限や増幅を行うＩＦ部１０２と、メインチューナ１２から合成部１５に出力される中間周波数信号とサブチューナ１４から合成部１５に出力される中間周波数信号の位相が同相となるように、ＩＦ部１０２が出力する中間周波数信号の位相を調整して合成部１５に出力する移相器１０３と、中間周波数信号の電界強度を検出し、検出した電界強度を表す電界強度信号を出力するＳメータ１０４と、Ｓメータ１０４が出力する電界強度信号が表す電界強度の変動等よりマルチパスの発生を検出するマルチパス検出部１０５とを備えている。
【００１８】
そして、合成部１５は、メインチューナ１２が出力する中間周波数信号と、サブチューナ１４が出力する中間周波数信号とを、ダイバーシティ合成部から指示された合成比で合成し、ＦＭ検波部１６に出力する。また、ＦＭ検波部１６は中間周波数信号からＦＭ検波を行い、ＦＭ復調部１７は、ＦＭ検波した信号からステレオ音声を復調し出力する。
【００１９】
また、位相差検出部１８は、メインチューナ１２が出力する電界強度信号ＳＭｍと、サブチューナ１４が出力する電界強度信号ＳＭｓとより、メインチューナ１２のＩＦ部１０２で処理される中間周波数信号の位相Ｐｍとサブチューナ１４のＩＦ部１０２で処理される中間周波数信号の位相Ｐｓとの位相差を検出する。ここで、この位相差は、たとえば、図２ａに示すように、電界強度信号ＳＭｍ２０１の急峻な減少のピークと、電界強度信号ＳＭｓ２０２の急峻な減少のピークの位相差ΔＰとして求める。
【００２０】
そして、ダイバシティ動作制御部１９は、メインチューナ１２が出力する電界強度信号ＳＭｍと、サブチューナ１４が出力する電界強度信号ＳＭｓと、位相差検出部１８が検出した位相差と、メインチューナ１２とサブチューナ１４で検出されるマルチパスの発生に応じて、以上各部の動作の制御を行う。
【００２１】
図３に、ダイバシティ動作制御部１９が各部の制御のために行うダイバシティ動作制御処理の手順を示す。
図示するように、この処理では、まず、各部の障害対応動作特性を同相合成方式のダイバーシティに適合する特性に設定する（ステップ３０２）。ここで設定する障害対応動作特性については後述する。そして、合成部１５の合成比率をメインチューナ１２の出力する中間周波数信号：サブチューナ１４の出力する中間周波数信号＝１：１に設定する（ステップ３０４）。これで、無線放送受信機では、同相合成方式のダイバーシティ受信が行われることになる。
【００２２】
次に、メインチューナ１２が出力する電界強度信号ＳＭｍと、サブチューナ１４が出力する電界強度信号ＳＭｓの差の絶対値が、所定のしきい値Ｔｈｓ未満であるかどうかを調べ、しきい値Ｔｈｓ未満でなければステップ３１０に進む。一方、しきい値Ｔｈｓ未満であれば、さらに、位相差検出部１８が検出したメインチューナ１２のＩＦ部１０２で処理される中間周波数信号の位相Ｐｍとサブチューナ１４のＩＦ部１０２で処理される中間周波数信号の位相Ｐｓとの位相差が所定のしきい値Ｔｈｐより大きいかどうかを調べ、しきい値Ｔｈｐより大きければステップ３０６に戻る。一方、所定のしきい値Ｔｈｐより大くない場合にはステップ３１０に進む。
【００２３】
なお、ステップ３０６で求めるメインチューナ１２が出力する電界強度信号ＳＭｍと、サブチューナ１４が出力する電界強度信号ＳＭｓの差は、たとえば、図２ｂに示すように、電界強度信号ＳＭｍ２１１の急峻な減少のピークのレベルと、電界強度信号ＳＭｓ２１２の急峻な減少のピークのレベルの差ΔＳＭとして求める。
【００２４】
さて、ステップ３１０では、各部の障害対応動作特性を選択ダイバーシティに適合する特性に設定する。そして、メインチューナ１２が出力する電界強度信号ＳＭｍがサブチューナ１４が出力する電界強度信号ＳＭｓより大きい場合にはメインチューナ１２を選択チューナに設定し、そうでない場合にはサブチューナ１４を選択チューナに設定する（ステップ３１２）。また、合成部１５の合成比率を、選択チューナの出力する中間周波数信号：他方のチューナの出力する中間周波数信号＝１：０に設定する（ステップ３１４）。
【００２５】
そして、選択チューナにおけるマルチパスの検出の発生と（ステップ３１６）、メインチューナ１２が出力する電界強度信号ＳＭｍとサブチューナ１４が出力する電界強度信号ＳＭｓの差の絶対値が、所定のしきい値Ｔｈｓ未満であり、かつ、メインチューナ１２のＩＦ部１０２で処理される中間周波数信号の位相Ｐｍとサブチューナ１４のＩＦ部１０２で処理される中間周波数信号の位相Ｐｓとの位相差が所定のしきい値Ｔｈｐより大きい状態の発生と（ステップ３１８）を監視する。
【００２６】
そして、選択チューナにおいてマルチパスの検出が発生したならば（ステップ３１６）、メインチューナ１２とサブチューナ１４とのうちの現在選択チューナとなっていない方のチューナを選択チューナに設定し（ステップ３２０）、ステップ３１４で、合成部１５の合成比率を、新たなに設定した選択チューナの出力する中間周波数信号：他方のチューナの出力する中間周波数信号＝１：０に設定し、ステップ３１６、３１８の監視に戻る。これにより、無線放送受信機では、選択ダイバーシティが行われることになる。
【００２７】
一方、ステップ３１８で、メインチューナ１２が出力する電界強度信号ＳＭｍとサブチューナ１４が出力する電界強度信号ＳＭｓの差の絶対値が、所定のしきい値Ｔｈｓ未満であり、かつ、メインチューナ１２のＩＦ部１０２で処理される中間周波数信号の位相Ｐｍとサブチューナ１４のＩＦ部１０２で処理される中間周波数信号の位相Ｐｓとの位相差が所定のしきい値Ｔｈｐより大きい状態の発生が検出されたならば、ステップ３０２からの処理に戻る。これで、無線放送受信機では、再度、同相合成方式のダイバーシティ受信が行われることになる。
【００２８】
以上のように、本実施形態に係る無線放送受信機によれば、メインアンテナ１１の受信信号とサブアンテナ１３の受信信号のレベル差が所定のしきい値未満であり、かつ、メインアンテナ１１の受信信号とサブアンテナ１３の受信信号の位相差が所定のしきい値を超える場合には、同相合成方式のダイバーシティを行うが、その他の場合には、選択ダイバーシティを行う。ここで、図４ａ、ｂより理解されるように、メインアンテナ１１の受信信号とサブアンテナ１３の受信信号のレベル差が大きい場合や、メインアンテナ１１の受信信号とサブアンテナ１３の受信信号の位相差が小さい場合には、同相合成方式のダイバーシティで受信した受信信号の劣化が大きく、同相合成方式のダイバーシティよりも、選択ダイバーシティを行った方がダイバシティ受信した受信信号の品質の劣化の程度が小さくなることが多い。したがって、本実施形態によれば、同相合成方式のダイバーシティで無線放送を受信する無線放送受信機において、同相合成方式のダイバーシティでは有効にマルチパス障害の低減を行えない領域における、受信信号品質の劣化を抑制することができるようになる。
【００２９】
さて、最後にステップ３０２と３１０で行う各部の障害対応動作特性の設定の内容について説明する。
これらのステップで設定する障害対応動作特性には、マルチパス検出部１０５のマルチパス検出感度特性、ＩＦ部１０２における中間周波数信号の帯域制限特性、ＦＭ復調部１７におけるステレオセパレーション特性とハイカット特性などがある。
そして、ステップ３０２では、これらの障害対応動作特性を同相合成方式のダイバーシティに適した障害対応動作特性に設定し、ステップ３１０では、これらの障害対応動作特性を選択ダイバーシティに適した障害対応動作特性に設定するが、ステップ３１０では、ステップ３０２で設定する障害対応動作特性よりも、より強固、積極的に受信信号に生じた障害による問題の発生を抑制する障害対応動作特性を設定する。
【００３０】
より具体的には、たとえば、ステップ３１０で障害対応動作特性を選択ダイバーシティに適した障害対応動作特性に設定する場合には、ステップ３０２でこれらの障害対応動作特性を選択ダイバーシティに適した障害対応動作特性に設定する場合よりも、マルチパス検出部１０５のマルチパス検出感度を上げてマルチパスを検出し易くすると共に、ＩＦ部１０２における中間周波数信号の帯域を狭めてノイズの混入をより抑えると共に、ＦＭ復調部１７におけるステレオセパレーション特性とハイカット特性を同じ入力信号レベルに対してよりステレオセパレーションが小さくなり、より高周波数帯域が減衰されるように設定する。なお、同相合成方式のダイバーシティや選択ダイバーシティを行っている場合に、ＦＭ復調部１７はマルチパスの発生に応じてステレオセパレーションを小さくして出力音声をモノラル音声としたり、ハイカット特性を変化させて高周波数帯域をより減衰させる処理なども行う。
【００３１】
ところで、以上の実施形態はＦＭ放送受信機への適用を例にとり説明したが、本実施形態における、複数のアンテナで受信した複数の受信信号の受信信号のレベル差と位相差とに応じて、同相合成方式のダイバーシティと選択ダイバーシティとの切替の技術は任意の無線方法を受信する無線方法受信機において同様に適用することができる。
【図面の簡単な説明】
【００３２】
【図１】本発明の実施形態に係る無線放送受信機の構成を示す図である。
【図２】本発明の実施形態で求める位相差とレベル差の算出例を示す図である。
【図３】本発明の実施形態に係るダイバーシティ動作制御処理を示すフローチャートである。
【図４】同相合成方式のダイバーシティの特性を示す図である。
【符号の説明】
【００３３】
１１…メインアンテナ、１２…メインチューナ、１３…サブアンテナ、１４…サブチューナ、１５…合成部、１６…ＦＭ検波部、１７…ＦＭ復調部、１８…位相差検出部、１９…ダイバシティ動作制御部、１０１…フロントエンド部、１０２…ＩＦ部、１０３…移相器、１０４…Ｓメータ、１０５…マルチパス検出部。
【図１】
2006129068.tif 000003
【図２】
2006129068.tif 000004
【図３】
2006129068.tif 000005
【図４】
2006129068.tif 000006